(57)【要約】【課題】ＳＩＭカードとメモリカードが同時に挿入でき、厚さが薄いコネクタを提供する。【解決手段】コネクタは端子保持ソケット１とＳＩＭカードに対応する第１の導電端子２とメモリカードに対応する第２の導電端子３と挿入スロットベース４とトップカバー５とを備え、端子保持ソケットは隣接する第１及び第２の端子保持ソケット１２，１４を備え、第１及び第２の導電端子はそれぞれ第１又は第２の端子保持ソケット内に装着され、挿入スロットベースは第１の底板４２と後壁４４と第１の側壁４６と第１の底板の内側から下へ延伸してなる仕切壁４８と仕切壁の底部から延伸してなる第２の底板４９と第２の底板から延伸してなる第２の側壁４７とを備え、第１の底板に第１の導電端子に対応する第１の開口が設けられ、第２の底板に第２の導電端子に対応する第２の開口が設けられ、トップカバー５は挿入スロットベース４の上方を覆うカバー体５２を備える。【選択図】図２
2008027906.tif 000002
【特許請求の範囲】
【請求項１】
端子保持ソケットと、携帯電話ＳＩＭカードを接続するための接触部を備える複数の第１の導電端子と、メモリカードを接続するための接触部を備える複数の第２の導電端子と、前記端子保持ソケットの後端に回転可能にピンジョイントされた挿入スロットベースと、トップカバーとを備える携帯電話ＳＩＭカードとメモリカードとのツーインワンコネクタであって、
前記端子保持ソケットは、隣接する第１の端子保持ソケットと第２の端子保持ソケットとを備え、
前記複数の第１の導電端子と前記複数の第２の導電端子はそれぞれ前記第１の端子保持ソケットと前記第２の端子保持ソケット内に装着され、
前記挿入スロットベースは、前記第１の端子保持ソケット側に対応する第１の底板と、該第１の底板の後端から上へ延伸してなる後壁と、該第１の底板の外側端から上へ延伸してなる第１の側壁と、該第１の底板の内側端から下へ延伸してなる仕切壁と、該仕切壁の底部から前記第１の底板から離れる側へ延伸してなる第２の底板と、該第２の底板の外側縁から上へ延伸してなる第２の側壁とを備え、
前記第１の底板に前記複数の第１の導電端子の接触部に対応する第１の開口が設けられ、
前記第２の底板に前記複数の第２の導電端子の接触部に対応する第２の開口が設けられ、
前記トップカバーは前記挿入スロットベースの上方を覆うカバー体を備え、
前記第１の底板、前記後壁、前記第１の側壁、前記第２の側壁及び前記トップカバーが囲んでなる空間は前記ＳＩＭカードを挿入収納する第１のカードスロットを構成し、前記第２の底板、前記仕切壁、前記第２の側壁、前記ＳＩＭカードが囲んでなる空間は前記メモリカードを挿入収納するメモリカードスロットを構成していることを特徴とするコネクタ。
【請求項２】
請求項１に記載の携帯電話ＳＩＭカードとメモリカードとのツーインワンコネクタにおいて、
前記メモリカードが、ＭｉｃｒｏＳＤカード、ＭＭＣｍｉｃｒｏカード又はＭＳＭｉｃｒｏカードであることを特徴とするコネクタ。
【請求項３】
請求項１又は請求項２に記載の携帯電話ＳＩＭカードとメモリカードとのツーインワンコネクタにおいて、
前記仕切壁と前記第２の側壁との間に邪魔板が延びて形成され、該邪魔板は該ＳＩＭカードとメモリカードの間に設けられていることを特徴とするコネクタ。
【請求項４】
請求項１に記載の携帯電話ＳＩＭカードとメモリカードとのツーインワンコネクタにおいて、
前記第２の底板が前記第１の底板に平行することを特徴とするコネクタ。
【請求項５】
請求項１に記載の携帯電話ＳＩＭカードとメモリカードとのツーインワンコネクタにおいて、
前記第１の端子保持ソケットは前記端子保持ソケットの左側に設けられ、前記第２の端子保持ソケットは前記端子保持ソケットの右側に設けられ、前記第１の底板は前記挿入スロットベースの左側に設けられ、前記第２の底板は前記挿入スロットベースの右側に設けられていることを特徴とするコネクタ。
【請求項６】
請求項１に記載の携帯電話ＳＩＭカードとメモリカードとのツーインワンコネクタにおいて、
前記第１の端子保持ソケットは前記端子保持ソケットの右側に設けられ、前記第２の端子保持ソケットは前記端子保持ソケットの左側に設けられ、前記第１の底板は前記挿入スロットベースの右側に設けられ、前記第２の底板は前記挿入スロットベースの左側に設けられていることを特徴とするコネクタ。
【請求項７】
請求項１、請求項５又は請求項６に記載の携帯電話ＳＩＭカードとメモリカードとのツーインワンコネクタにおいて、
前記第１の端子保持ソケット上に複数の第１の端子収納溝が開設され、前記第１の導電端子の接触部が該第１の端子収納溝に収納されることを特徴とするコネクタ。
【請求項８】
請求項１、請求項５又は請求項６に記載の携帯電話ＳＩＭカードとメモリカードとのツーインワンコネクタにおいて、
前記第１の開口は、ＳＩＭカードが挿入された後に、前記第１の導電端子の接触部が該第１の開口を通ってＳＩＭカードの対応する導電片と接触することを供することを特徴とするコネクタ。
【請求項９】
請求項１、請求項５又は請求項６に記載の携帯電話ＳＩＭカードとメモリカードとのツーインワンコネクタにおいて、
前記第２の開口は、メモリカードが挿入された後に、前記第２の導電端子の接触部が該第２の開口を通ってメモリカードの対応する導電片と接触することを供することを特徴とするコネクタ。
【発明の詳細な説明】
【技術分野】
【０００１】
本発明は携帯電話内に用いられるコネクタに関し、特に携帯電話ＳＩＭカードとメモリカードを同時に挿入可能であり、且つ、全体の厚さが低減可能なツーインワン（２ｉｎ１）コネクタに関する。
【背景技術】
【０００２】
現在、メモリカードをサポートする携帯電話が出てきており、このような携帯電話は、メモリカードにより携帯電話自身の容量を増加させている。携帯電話の容量に対するニーズが日々高まるに従い、特にスマート携帯の普及に従って、携帯電話のメモリカードは携帯電話の標準構成の一つとなっている。
【０００３】
携帯電話のメモリカードが携帯電話の標準構成の一つとなって、２００５年までに、メモリカードスロットを備える携帯電話の総量は、２．５億に増加することが予想されている。メモリカードを備える携帯電話は２００６年の全世界の携帯電話出荷量の３０％を占めている。携帯電話のメモリカードの容量も絶えず増えてきており、体積と重量は絶えず減少している。
【０００４】
現在、携帯電話のメモリカードは主にＳＤカード、ＭＭＣカード、ｍｉｎｉＳＤカード、ＴＦカード、ＭｅｍｏｒｙＳｔｉｃｋカード、ＭＳＭｉｃｒｏカード、ＭＭＣｍｉｃｒｏ及びＭｉｃｒｏＳＤなどを含んでいる。
【０００５】
ＭＭＣｍｉｃｒｏとＭｉｃｒｏＳＤはともに、目下、全世界で最小のミニメモリカードであり、体積はとても小さいが、より大きな優勢を誇っており、各種デジタル製品にも用いることができる。
【発明の開示】
【発明が解決しようとする課題】
【０００６】
しかしながら、携帯電話の製品のデザインの流れは、依然として、ますます「軽く、薄く、短く、小さく」が要求されている。そのため、ＳＩＭカード（Ｓｕｂｓｃｒｉｂｅｒ  Ｉｄｅｎｔｉｔｙ  Ｍｏｄｕｌｅ）とメモリカードを同時に挿入可能であり、且つより薄いコネクタを案出することは本業界の急務である。
【課題を解決するための手段】
【０００７】
本発明の目的は、携帯電話ＳＩＭカードとメモリカードとのツーインワンコネクタを提供することにあり、該コネクタは携帯電話ＳＩＭカードとメモリカードとを同時に挿入可能であり、且つ、全体の厚さが非常に薄い。
【０００８】
上記目的を実現するために、本発明は携帯電話ＳＩＭカードとメモリカードとのツーインワンコネクタを提供する。該コネクタは、端子保持ソケットと、携帯電話ＳＩＭカードを接続するための接触部を備える複数の第１の導電端子と、メモリカードを接続するための接触部を備える複数の第２の導電端子と、前記端子保持ソケットの後端に回転可能にピンジョイントされた挿入スロットベースと、トップカバーとを備える。前記端子保持ソケットは、隣接する第１の端子保持ソケットと第２の端子保持ソケットとを備える。前記複数の第１の導電端子と前記複数の第２の導電端子はそれぞれ前記第１の端子保持ソケットと前記第２の端子保持ソケット内に装着され、前記挿入スロットベースは、前記第１の端子保持ソケット側に対応する第１の底板と、該第１の底板の後端から上へ延伸してなる後壁と、該第１の底板の外側端から上へ延伸してなる第１の側壁と、該第１の底板の内側端から下へ延伸してなる仕切壁と、該仕切壁の底部から前記第１の底板から離れる側へ延伸してなる第２の底板と、該第２の底板の外側縁から上へ延伸してなる第２の側壁とを備え、前記第１の底板に前記複数の第１の導電端子の接触部に対応する第１の開口が設けられ、前記第２の底板に前記複数の第２の導電端子の接触部に対応する第２の開口が設けられ、前記トップカバーは前記挿入スロットベースの上方を覆うカバー体を備え、前記第１の底板、前記後壁、前記第１の側壁、前記第２の側壁及び前記トップカバーが囲んでなる空間は前記ＳＩＭカードを挿入収納する第１のカードスロットを構成し、前記第２の底板、前記仕切壁、前記第２の側壁、前記ＳＩＭカードが囲んでなる空間は前記メモリカードを挿入収納するメモリカードスロットを構成している。
【発明の効果】
【０００９】
本発明は、メモリカードの上表面が直接、ＳＩＭカードに当たることにより、装着が安定するとともに、メモリカードが移動しなくなり、メモリカードと第２の導電端子との導電性能の安定性を保証でき、該コネクタ全体の厚さも減小できるという有益な効果がある。
【発明を実施するための最良の形態】
【００１０】
図１乃至図８に参照されるように、携帯電話ＳＩＭカードとメモリカードとのツーインワンコネクタは、端子保持ソケット１と、複数の第１の導電端子２と、複数の第２の導電端子３と、挿入スロットベース４と、トップカバー５と、ロック手段６とを備える。
【００１１】
端子保持ソケット１は、隣接する第１の端子保持ソケット１２と第２の端子保持ソケット１４とを備える。
【００１２】
第１の端子保持ソケット１２内には複数の第１の導電端子２が対応して取付けられ、複数の第１の導電端子２は、携帯電話ＳＩＭカード７に対応して挿入接続されて、ＳＩＭカード７とこれらの第１の導電端子２が電気的に接続される。
【００１３】
第１の端子保持ソケット１２は端子保持ソケット１の左側に設けられ、その全体は矩形形状であり、この第１の端子保持ソケット１２上に複数の第１の端子収納溝１２２が開設され、複数の第１の端子収納溝１２２の左側のベースにそれぞれ複数の第１の端子止め溝１２４が設けられている。
【００１４】
第２の端子保持ソケット１４には複数の第２の導電端子３が対応して取付けられ、第２の導電端子３は、ＭｉｃｒｏＳＤカード８に対応して挿入接続されて、ＭｉｃｒｏＳＤカード８とこれらの第２の導電端子３が電気的に接続される。
【００１５】
第２の端子保持ソケット１４は端子保持ソケット１の右側に設けられ、その全体は後端に近接する細長いストリップ形状であり、この第２の端子保持ソケット１４には平行な複数の第２の端子止め溝が開設されている（符号無し）。
【００１６】
第１の導電端子２は、固定部２２と該固定部２２の一端から上へ湾曲し延伸して形成されたアーチ状の接触部２４とを備えている。複数の第１の導電端子２の固定部２２は複数の第１の端子止め溝１２４に対応して挿設され、複数の接触部２４はそれぞれ複数の第１の端子収納溝１２２に収納されて、第１の端子保持ソケット１２の上表面よりも高い位置まで伸びている。
【００１７】
第２の導電端子３は、固定部３２と該固定部３２の一端から上へ湾曲し延伸して形成されたアーチ状の接触部３４とを備えている。複数の第２の導電端子３の固定部３２は複数の第２の端子止め溝に対応して挿設され、複数の接触部３４は前方へ伸びだして、第１の端子保持ソケット１２の右側に位置している。
【００１８】
挿入スロットベース４は端子保持ソケット２の後端に回転可能にピンジョイントされ、第１の底板４２と、後壁４４と、左側壁４６と、仕切壁４８と、第２の底板４９と、右側壁４７とを備えている。
【００１９】
第１の底板４２は第１の端子保持ソケット１２と対応して挿入スロットベース４の左側に設けられている。第１の底板４２は第１の端子保持ソケット１２に平行しており、その中央部には第１の開口４２２が設けられている。この第１の開口４２２は、複数の第１の導電端子２の接触部２４に対応し、ＳＩＭカード７が挿入された後、これらの接触部２４が通過するのに供される。
【００２０】
後壁４４は第１の底板４２の後端の縁から上へ垂直に延伸してなる。左側壁４６は第１の底板４２の左端の縁から上へ垂直に延伸してなる。仕切壁４８は該第１の底板４２の右端の縁から下へ所定距離だけ延伸してなる。
【００２１】
第２の底板４９は、第２の端子保持ソケット１４に対応して、挿入スロットベース４の右側に設けられ、仕切壁４８の底部から第１の底板４２に平行に右側へ延伸して形成されている。第２の底板４９には第２の開口４９２が設けられ、この第２の開口４９２は、複数の第２の導電端子３の接触部３４に対応して、ＭｉｃｒｏＳＤカード８が挿入された後、これらの接触部３４が通過するのに供される。
【００２２】
右側壁４７は第２の底板４９の右側の縁から上へ垂直に延伸してなる。右側壁４７の上端は、ＳＩＭカード７を挿入するときの位置決めを助けるように、左側へ所定距離だけ延伸している。
【００２３】
トップカバー５は挿入スロットベース４の上方に係り止めるように取付けられ、挿入スロットベース４の上方を覆うカバー体５２を備える。
【００２４】
ロック手段６は、第１の端子保持ソケット１２の前端に設けられたスライド溝６２と、スライド溝６２において左右に摺動可能なスライダ６４と、挿入スロットベース４の第１の底板４２の前端に設けられた圧棒６６とを備える。このスライダ６４が右端まで摺動したとき、スライダ６４は圧棒６６を押圧し、これにより、端子保持ソケット１を挿入スロットベース４と緊密にロックして引っ付かせる。
【００２５】
ＳＩＭカード７は接触面７２を備え、接触面７２の左側には第１の導電端子２の接触部２４と対応して接触する複数の導電片７４が設けられ、その右側は空所である。
【００２６】
第１の底板４２、後壁４４、左側壁４６、右側壁４７及びカバー体５２が囲んでなる空間は該ＳＩＭカード７を挿入収納する第１のカードスロット９２を構成している。
【００２７】
ＳＩＭカード７が第１のカードスロット９２に挿入された後、その前端が後壁４４に当たると所定位置に挿入されたこととなる。ＳＩＭカード７が所定位置に挿入されてから、端子保持ソケット１と挿入スロットベース４を密着させた場合に、第１の導電端子２の接触部２４は第１の開口４２２を通って、ＳＩＭカード７の対応する導電片７４に接触して、ＳＩＭカード７と第１の導電端子２の電気的な接続が保持される。
【００２８】
ＳＩＭカード７の接触面７２の右側が空所なので、接触面７２の右側下方の空間は利用可能となる。従って、第２の底板４９、仕切壁４８、右側壁４７、ＳＩＭカード７の接触面７２が囲んでなる空間はＭｉｃｒｏＳＤカード８を挿入収納するメモリカードスロット９４を構成している。
【００２９】
装着時に、ＳＩＭカード７を所定位置に挿入してから、ＭｉｃｒｏＳＤカード８を挿入し、端子保持ソケット１を挿入スロットベース４に密着させ、更にロック手段６によりそれをロックさせる。第２の導電端子３の接触部３４は第２の開口４９２を通って、ＭｉｃｒｏＳＤカード８の対応する導電片８２に接触して、ＭｉｃｒｏＳＤカード８と第２の導電端子３の電気的な接続が保持される。ＭｉｃｒｏＳＤカード８の上表面が直接、ＳＩＭカード７に当たることにより、装着が安定するとともに、ＭｉｃｒｏＳＤカード８が移動しなくなり、ＭｉｃｒｏＳＤカード８と第２の導電端子３との導電性能の安定性を保証でき、該コネクタ全体の厚さも減小できる。
【００３０】
以上は、本発明の第１の実施例であり、本発明に係る実施形態はまだたくさんある。
【００３１】
１．仕切壁４８と右側壁４７との間に邪魔板が延びて形成され、邪魔板はＳＩＭカード７とＭｉｃｒｏＳＤカード８の間に設けられる。ＭｉｃｒｏＳＤカード８を同様に安定に取付けることができ、コネクタ全体の厚さも減小させることができる。
【００３２】
２．第２の導電端子３はＭＭＣｍｉｃｒｏカード又はＭＳＭｉｃｒｏカードなどとマッチングさせることができ、対応する第２の端子保持ソケット１４の幅と高さを対応して修正すると、第１の実施例と同じ目的及び効果が実現できる。
【００３３】
３．第１の端子保持ソケット１２と第２の端子保持ソケット１４の左右の位置は相対的なものであればよい。従って、実際のニーズに基づいて、位置を互いに交換して、例えば、新しい実施例において、第１の端子保持ソケット１２を右側に設け、第２の端子保持ソケット１４を左側に設けて、他の部材はそれに応じて位置を調整すれば、第１の実施例と同じ目的及び効果が実現できる。
【図面の簡単な説明】
【００３４】
【図１】本発明の携帯電話ＳＩＭカードとメモリカードとのツーインワンコネクタが開かれたときの斜視図である。
【図２】同コネクタが閉じられたときの斜視図である。
【図３】同コネクタにＳＩＭカードとＭｉｃｒｏＳＤカードを挿入している斜視図である。
【図４】同コネクタにＳＩＭカードとＭｉｃｒｏＳＤカードを挿入しコネクタが閉じられたときの斜視図である。
【図５】同コネクタの挿入スロットベースの斜視図である。
【図６】同コネクタのＳＩＭカードの底面図である。
【図７】同コネクタのＭｉｃｒｏＳＤカードの底面図である。
【図８】同コネクタにＳＩＭカードとＭｉｃｒｏＳＤカードが挿入された位置を示す図である。
【符号の説明】
【００３５】
１    端子保持ソケット
２    複数の第１の導電端子
３    複数の第２の導電端子
４    挿入スロットベース
５    トップカバー
７    携帯電話ＳＩＭカード
８    ＭｉｃｒｏＳＤカード（メモリカード）
１２  第１の端子保持ソケット
１４  第２の端子保持ソケット
４２  第１の底板
４４  後壁
４６  左側壁（第１の側壁）
４７  右側壁（第２の側壁）
４８  仕切壁
４９  第２の底板
５２  カバー体
９２    第１のカードスロット
９４    メモリカードスロット
４２２  第１の開口
４９２  第２の開口
【図１】
2008027906.tif 000003
【図２】
2008027906.tif 000004
【図３】
2008027906.tif 000005
【図４】
2008027906.tif 000006
【図５】
2008027906.tif 000007
【図６】
2008027906.tif 000008
【図７】
2008027906.tif 000009
【図８】
2008027906.tif 000010